(57)【要約】【課題】供給可能なプリント材料の種類数を任意に増やすことができ、小型で低コストに構成できる、マガジンおよびそれを備えるプリント装置を提供する。【解決手段】プリント装置１０は、複数のマガジン２０を接続することによって構成される供給ユニット１８を備える。供給ユニット１８を構成する各マガジン２０は、筐体２２と、筐体２２に設けられる凸部２４と、筐体２２に設けられる凹部２６ａ，２６ｂと、凸部２４に設けられる排出口２８と、凹部２６ａ，２６ｂにそれぞれ設けられる導入口４０ａ，４０ｂとを含む。各マガジン２０は、筐体２２内の印画紙Ｐあるいは導入口４０ａあるいは４０ｂから筐体２２内に導入した他のマガジン２０からの印画紙Ｐを、排出口２８を介して筐体２２内から排出し、プリント部１２あるいはその他のマガジン２０に供給できる。【選択図】図４
2007178508.tif 000002
【特許請求の範囲】
【請求項１】
プリント材料を収納するための筐体、
前記筐体に設けられ前記プリント材料を外部から前記筐体内に導入するための導入口、および
前記筐体に設けられ前記筐体内に収納される前記プリント材料あるいは前記導入口から前記筐体内に導入される前記プリント材料を前記筐体内から排出するための排出口を備える、マガジン。
【請求項２】
前記導入口は前記筐体に複数設けられる、請求項１に記載のマガジン。
【請求項３】
前記筐体に設けられる凸部、および
前記筐体に設けられ前記凸部と嵌合可能な凹部をさらに含む、請求項１または２に記載のマガジン。
【請求項４】
請求項１から３のいずれかに記載のマガジンを備える、プリント装置。
【発明の詳細な説明】
【技術分野】
【０００１】
この発明はマガジンおよびそれを備えるプリント装置に関し、より特定的には、プリント材料を収納するマガジンおよびそれを備えるプリント装置に関する。
【背景技術】
【０００２】
従来、写真プリント装置では、マガジンから供給される銀塩印画紙等のプリント材料に画像を形成することが知られている。たとえば特許文献１には、複数のマガジンをユニット本体に装填した供給ユニットからプリント材料を写真プリント装置に供給することが開示されている。特許文献１の供給ユニットでは、複数のマガジンからそれぞれ種類が異なるプリント材料を供給できるので、プリント材料の種類を変更するためのマガジン交換を省くことができる。
【特許文献１】特許第３６５３６５１号公報
【発明の開示】
【発明が解決しようとする課題】
【０００３】
しかし、特許文献１の供給ユニットではユニット本体に装填できるマガジン数が決まっているので、それ以上マガジンを増やすことができないという問題があった。つまり、供給可能なプリント材料の種類が限定されるという問題があった。また、ユニット本体を準備する必要があり、大型でコストも上昇してしまうという問題があった。
【０００４】
それゆえに、この発明の主たる目的は、供給可能なプリント材料の種類数を任意に増やすことができ、小型で低コストに構成できる、マガジンおよびそれを備えるプリント装置を提供することである。
【課題を解決するための手段】
【０００５】
上述の目的を達成するために、請求項１に記載のマガジンは、プリント材料を収納するための筐体、筐体に設けられプリント材料を外部から筐体内に導入するための導入口、および筐体に設けられ筐体内に収納されるプリント材料あるいは導入口から筐体内に導入されるプリント材料を筐体内から排出するための排出口を備える。
【０００６】
請求項２に記載のマガジンは、請求項１に記載のマガジンにおいて、導入口は筐体に複数設けられることを特徴とする。
【０００７】
請求項３に記載のマガジンは、請求項１または２に記載のマガジンにおいて、筐体に設けられる凸部、および筐体に設けられ凸部と嵌合可能な凹部をさらに含むことを特徴とする。
【０００８】
請求項４に記載のプリント装置は、請求項１から３のいずれかに記載のマガジンを備える。
【０００９】
請求項１に記載のマガジンでは、筐体内のプリント材料あるいは導入口から筐体内に導入される他のマガジンからのプリント材料を、排出口を介して筐体内から排出し、プリント装置あるいはその他のマガジンに供給できる。このような請求項１に記載のマガジンを複数接続することによって構成される供給ユニットでは、マガジンの数を任意に増やすことができ、供給可能なプリント材料の種類数を任意に増やすことができる。また、請求項１に記載のマガジンを複数接続することによって構成される供給ユニットでは、ユニット本体を用いる必要がなく、小型で低コストに構成できる。
【００１０】
請求項２に記載のマガジンでは、筐体に導入口が複数設けられ、他のマガジンを複数接続できる。このように１つのマガジンに複数のマガジンを接続することができるので、供給ユニットをコンパクトに構成できる。
【００１１】
請求項３に記載のマガジンでは、凸部と他のマガジンの凹部とを嵌合させるあるいは凹部と他のマガジンの凸部とを嵌合させることによって、他のマガジンと簡単かつ強固に接続でき、供給ユニットの分解を防止できる。
【００１２】
請求項４に記載のプリント装置では、請求項１から３のいずれかに記載のマガジンを複数接続した供給ユニットを用いることによって、ユニット本体を用いずとも複数種類のプリント材料を切り替えて使用でき、全体として小型で低コストに構成できる。
【発明の効果】
【００１３】
この発明によれば、供給するプリント材料の種類数を任意に増やすことができ、小型で低コストに構成できる。
【発明を実施するための最良の形態】
【００１４】
以下、図面を参照して、この発明の実施の形態について説明する。
図１を参照して、この発明の一実施形態のプリント装置１０は、写真用のフィルム等をスキャニングして得た画像データに基づく画像をプリント材料の一例である銀塩印画紙Ｐに露光（焼き付け）形成し、写真プリントを作製する、写真プリント装置である。
【００１５】
プリント装置１０は、銀塩印画紙（以下、単に印画紙という）Ｐに露光処理を施すプリント部１２、露光済みの印画紙Ｐに現像処理を施すプロセッサ部１４、およびプリント装置１０の各構成要素の動作を制御するコントローラ１６を備える。
【００１６】
プリント部１２には、プリント部１２に供給すべき印画紙Ｐを収納する供給ユニット１８が接続される。供給ユニット１８は、サイズ（幅）、面種（シルクやマット等）、仕様（暑さやベースの種類等）等、それぞれ種類が異なる印画紙Ｐを収納する複数（図１においては５個）のマガジン２０によって構成される。
【００１７】
ここで、図２から図１１を参照して、マガジン２０について詳しく説明する。
図２から図４に示すように、マガジン２０は、長尺の印画紙Ｐを巻回したペーパーロールＲを収納するための筐体２２を含む。図４に示すように、筐体２２は、中空略直方体状に形成され、ペーパーロールＲの外周を囲む壁２２ａ，２２ｂ，２２ｃおよび２２ｄを有する。壁２２ａには凸部２４が設けられ、壁２２ａに平行な壁２２ｂには凹部２６ａが設けられ、壁２２ａと２２ｂとに垂直な一方の壁２２ｃには凹部２６ｂが設けられる。
【００１８】
図２および図４に示すように、凸部２４は、壁２２ａの外側の面に四角形の枠状に設けられる。図２に示すように、凸部２４の底面（壁２２ａの外側の面の一部）には、筐体２２内から印画紙Ｐを排出するための排出口２８がペーパーロールＲの軸方向（矢印Ａ方向）に延びるように設けられる。
【００１９】
また、凸部２４の底面には、２つのピン３０と２つの貫通孔３２とが設けられる。２つのピン３０は、矢印Ａ方向に離間して設けられる。２つの貫通孔３２は、２つのピン３０と同じ間隔で矢印Ａ方向に離間し、それぞれ矢印Ａ方向に直交する方向（矢印Ｂ方向）にピン３０と並ぶように排出口２８とピン３０との間に設けられる。
【００２０】
さらに、凸部２４の底面には、２つのロック爪３４が矢印Ａ方向に離間して設けられる。図４に示すように、ロック爪３４は、筐体２２内に突入する揺動部材３４ａによって揺動可能に配置される。揺動部材３４ａは、矢印Ｃ方向に延びるロッド３６によって、凹部２６ａに配置されるレバー３８に連結される。
【００２１】
凹部２６ａ，２６ｂはそれぞれ、凸部２４の形状に対応し、他のマガジン２０の凸部２４と嵌合可能に設けられる。図３および図４に示すように、凹部２６ａの底面には、他のマガジン２０から筐体２２内に印画紙Ｐを導入するための導入口４０ａが矢印Ａ方向に延びるように設けられる。また、図４に示すように、凹部２６ｂの底面にも同様に導入口４０ｂが設けられる。したがって、この実施形態では、導入口４０ａと４０ｂとが筐体２２の異なる壁（面）に設けられる。
【００２２】
また、図３に示すように、凹部２６ａの底面にも、凸部２４の２つのピン３０と同じ間隔で矢印Ａ方向に離間させて２つのピン３０と２つの貫通孔３２とが設けられる。凹部２６ａにおいては、ピン３０が貫通孔３２と導入口４０ａとの間に設けられる。図４に示すように、凹部２６ｂについても同様に、２つのピン３０と２つの貫通孔３２とが設けられる。凹部２６ｂにおいては、ピン３０と貫通孔３２とが矢印Ａ方向および矢印Ｂ方向に直交する方向（矢印Ｃ方向）に並ぶ。
【００２３】
さらに、図３に示すように、凹部２６ａの矢印Ａ方向に対向する側面にはそれぞれ、ロック爪３４に対応する位置にロックピン４２が設けられる。凹部２６ｂについても同様に、ロックピン４２が２つ設けられる。
【００２４】
また、図４に示すように、筐体２２内には、シャッタ４４ａ，４４ｂおよび４４ｃが設けられる。シャッタ４４ａは、凸部２４に対応して壁２２ａの内側の面に設けられる配置部４６ａに、ばね４８を介して配置される。シャッタ４４ａは、ばね４８によって矢印Ｂ方向の排出口２８側（図４では上側）に付勢され、排出口２８を塞ぐ。シャッタ４４ｂは、凹部２６ａに対応して壁２２ｂの内側の面に設けられる配置部４６ｂに、ばね４８を介して配置される。シャッタ４４ｂは、ばね４８によって矢印Ｂ方向の導入口４０ａ側（図４では上側）に付勢され、導入口４０ａを塞ぐ。シャッタ４４ｃは、凹部２６ｂに対応して壁２２ｃの内側の面に設けられる配置部４６ｃに、ばね４８を介して配置される。シャッタ４４ｃは、ばね４８によって矢印Ｃ方向の導入口４０ｂ側（図４では右側）に付勢され、導入口４０ｂを塞ぐ。つまり、シャッタ４４ａ，４４ｂおよび４４ｃによって、筐体２２の内部が遮光される。
【００２５】
図５に示すように、シャッタ４４ａには、凸部２４の貫通孔３２（図２参照）と同じ間隔で矢印Ａ方向に離間する２つの挿入孔５０が設けられる。２つの挿入孔５０はそれぞれ、壁２２ａ側に開口し、シャッタ４４ａが排出口２８を塞いだ状態で凸部２４の貫通孔３２に対向する傾斜部５０ａを有する。シャッタ４４ａと同様に、シャッタ４４ｂ，４４ｃにもそれぞれ、傾斜部５０ａを有する挿入孔５０が２つ設けられる。
【００２６】
また、図４に示すように、筐体２２内には、印画紙Ｐを搬送するための搬送ローラ対５２と、ペーパーロールＲを回転させペーパーロールＲから印画紙Ｐを引き出すための引き出しローラ対５４とが設けられる。搬送ローラ対５２は駆動ローラ５２ａと従動ローラ５２ｂとを含み、引き出しローラ対５４は駆動ローラ５４ａと従動ローラ５４ｂとを含む。
【００２７】
搬送ローラ対５２の駆動ローラ５２ａおよび引き出しローラ対５４の駆動ローラ５４ａには、筐体２２に設けられる伝達機構５６によってプリント部１２に設けられるモータ１１４（後述）から動力が伝達される。伝達機構５６は、駆動ローラ５２ａに動力を伝達するための伝達部５８と、駆動ローラ５４ａに動力を伝達するための伝達部６０とを含む。
【００２８】
図６（ａ）および（ｂ）に示すように、伝達部５８は、シャフト６２と、ベベルギア６４，６６とを含む。なお、図６（ａ）には矢印Ａ方向の一方向（図２において左から右に向かう方向）からみた伝達部５８が示され、図６（ｂ）には矢印Ｃ方向の一方向（凸部２４から凹部２６ａに向かう方向）からみた伝達部５８が示されている。
【００２９】
図４に示すように、シャフト６２は、矢印Ｃ方向に延びて筐体２２を凸部２４から凹部２６ａへと貫通する。シャフト６２には、凸部２４側端部にカップリング６８ａが設けられ、凹部２６ａ側端部にカップリング６８ｂが設けられる。カップリング６８ａは、他のマガジン２０のカップリング６８ｂあるいはモータ１１４に設けられるカップリング６８ｂに連結される（図１０および図１１参照）。カップリング６８ａは、モータ１１４の駆動に伴って回転し、シャフト６２およびカップリング６８ｂを回転させる。ベベルギア６４は、シャフト６２に設けられ、ベベルギア６６に係合する。ベベルギア６６は、駆動ローラ５２ａに連結される。このような伝達部５８では、シャフト６２の回転に伴ってベベルギア６４，６６が回転することによって、モータ１１４の動力を駆動ローラ５２ａに伝達し、駆動ローラ５２ａを回転させる。
【００３０】
また、ベベルギア６４と６６とには、ベベルギア７０が係合する。ベベルギア７０は、凹部２６ｂから筐体２２内に突入するシャフト７２の端部に設けられる。シャフト７２の凹部２６ｂ側端部にはカップリング６８ｂが設けられる。したがって、シャフト６２の回転に伴ってベベルギア７０、シャフト７２およびカップリング６８ｂが回転する。
【００３１】
図７（ａ）および（ｂ）に示すように、伝達部６０は、シャフト６２と、ギア７４，７６，７８，８０と、ベベルギア８２，８４，８６と、シャフト８８とを含む。なお、図７（ａ）には矢印Ａ方向の一方向（図２において左から右に向かう方向）からみた伝達部６０が示され、図７（ｂ）には矢印Ｃ方向の一方向（凸部２４から凹部２６ａに向かう方向）からみた伝達部６０が示されている。
【００３２】
ギア７４は、円板状に形成され、シャフト６２に設けられる。ギア７６は、円板状に形成され、ギア７４に係合可能に揺動部材９８（後述）に設けられる。ギア７８は、円板部７８ａとベベル部７８ｂとを有し、円板部７８ａでギア７６に係合する。ギア８０は、ベベル部８０ａと８０ｂとを有し、ベベル部８０ａでギア７８のベベル部７８ｂに係合する。ベベルギア８２は、シャフト８８の一方端部に設けられ、ギア８０のベベル部８０ｂに係合する。ベベルギア８４は、シャフト８８の他方端部に設けられ、ベベルギア８６に係合する。ベベルギア８６は、駆動ローラ５４ａに連結される。このような伝達部６０では、シャフト６２の回転に伴ってギア７４〜７８、ベベルギア８２〜８６およびシャフト８８が回転することによって、モータ１１４の動力を駆動ローラ５４ａに伝達し、駆動ローラ５４ａを回転させる。
【００３３】
また、筐体２２には、駆動ローラ５４ａに動力を伝達する伝達状態と駆動ローラ５４ａに動力を伝達しない遮断状態とのいずれか一方に伝達部６０を設定する設定機構９０が設けられる。設定機構９０は、シャフト９２，９４，９６と、揺動部材９８と、カム１００とを含み、プリント部１２に設けられるモータ１１６（後述）によって駆動される。
【００３４】
図４に示すように、シャフト９２は、矢印Ｃ方向に延びて筐体２２を凸部２４から凹部２６ａへと貫通する。シャフト９２には、凸部２４側端部にカップリング１０２ａが設けられ、凹部２６ａ側端部にカップリング１０２ｂが設けられる。カップリング１０２ｂは、他のマガジン２０のカップリング１０２ｂあるいはプリント部１２のモータ１１６に設けられるカップリング１０２ｂに連結される（図１０および図１１参照）。カップリング１０２ａは、モータ１１６の駆動に伴って回転し、シャフト９２およびカップリング１０２ｂを回転させる。シャフト９４は、ギア７６と揺動部材９８とに連結される。シャフト９６は、揺動部材９８に連結され、図示しない保持部材によって筐体２２内に回転可能に保持される。揺動部材９８は、シャフト９６を支軸として揺動し、シャフト９４ひいてはギア７６を揺動させる。カム１００はシャフト９２に設けられ、大径部１００ａで揺動部材９８を支持することによってギア７４にギア７６を係合させ伝達部６０を伝達状態にする。このような設定機構９０では、シャフト９２の回転に伴ってカム１００が回転することによって、カム１００の大径部１００ａの位置が変更される。これによって、図７（ｂ）に示す位置から図８に示す位置に揺動部材９８が揺動し、ギア７４と７６との係合が解除され、伝達部６０が遮断状態となる。
【００３５】
また、図４に示すように、シャフト９２にはベベルギア１０４が設けられ、ベベルギア１０４にはベベルギア１０６が係合する。ベベルギア１０６は、凹部２６ｂから筐体２２内に突入するシャフト１０８の端部に設けられる。シャフト１０８の凹部２６ｂ側端部にはカップリング１０２ｂが設けられる。したがって、シャフト９２の回転に伴って、ベベルギア１０４，１０６、シャフト１０８およびカップリング１０２ｂが回転する。
【００３６】
また、図４に示すように、筐体２２内には、ペーパーローラＲから引き出された印画紙Ｐの先端を検出すためのセンサ１０９が引き出しローラ対５４の下流側に設けられる。
【００３７】
また、図２に示すように、壁２２ａの外側の面には各角部近傍に位置決めピン１１０が設けられ、図３に示すように、壁２２ｂには各角部近傍に位置決めピン１１０が挿入される挿入孔１１２が設けられる。図４に示すように、壁２２ｃについても同様に挿入孔１１２が設けられる。
【００３８】
供給ユニット１８は、このように構成される複数のマガジン２０を、印画紙Ｐを搬送可能に接続することによって構成される。供給ユニット１８において２つのマガジン２０は、一方のマガジン２０の凸部２４と他方のマガジン２０の凹部２６ａあるいは２６ｂとを嵌合させることによって接続される。
【００３９】
図９に示すように、一方のマガジン２０の凸部２４と他方のマガジン２０の凹部２６ａとを嵌合させる際には、凸部２４のピン３０が、凹部２６ａの貫通孔３２を挿通し、シャッタ４４ｂの挿入孔５０の傾斜部５０ａに接する。そして、凸部２４のピン３０がシャッタ４４ｂをばね４８の付勢に逆らって配置部４６ｂに押し付けつつ進むことによって、導入口４０ａが開かれる。一方、凹部２６ａのピン３０が、凸部２４の貫通孔３２を挿通し、シャッタ４４ａを配置部４６ａに押し付けつつ進むことによって、排出口２８が開かれる。また、凸部２４のロック爪３４が、凹部２６ａのロックピン４２を乗り越えるように揺動する。さらに、位置決めピン１１０が、挿入孔１１２に挿入される。
【００４０】
そして、図１０に示すように、接続が完了した状態では、排出口２８と導入口４０ａとが完全に開き、２つのマガジン２０の筐体２２が連通される。これによって、２つのマガジン２０において、印画紙Ｐを搬送可能となる。また、一方のマガジン２０のカップリング６８ａと他方のマガジン２０のカップリング６８ｂとが連結され、互いの伝達機構５６が連結される。また、一方のマガジン２０のカップリング１０２ａと他方のマガジン２０のカップリング１０２ｂとが連結され、互いの設定機構９０が連結される。さらに、一方のマガジン２０のロック爪３４が他方のマガジン２０のロックピン４２に引っ掛かり、一方のマガジン２０の位置決めピン１１０が他方のマガジン２０の挿入孔１１２に挿入され、２つのマガジン２０が固定される。
凸部２４を凹部２６ｂに嵌合させることによって２つのマガジン２０を接続する場合も同様である。
【００４１】
供給ユニット１８では、複数のマガジン２０の設定機構９０において、カム１００が複数のマガジン２０毎に異なる角度で配置される。具体的には、たとえば複数のカム１００はそれぞれ角度が３０°ずつ異なるように配置される。そして、伝達状態であるマガジン２０のカム１００と伝達状態にすべきマガジン２０のカム１００との角度差分だけ複数のカム１００をそれぞれ回転させることによって、特定のマガジン２０が変更され、変更された特定のマガジン２０の印画紙Ｐをプリント部１２に供給可能となる。たとえば、カム１００の角度をそれぞれ３０°ずつ異ならせる場合、マガジン２０を１２個まで接続できる。
【００４２】
また、図１１に示すように、プリント部１２に接続されるマガジン２０では、カップリング６８ａがプリント部１２のモータ１１４の回転軸に設けられるカップリング６８ｂに連結され、カップリング１０２ａがプリント部１２のモータ１１６の回転軸に設けられるカップリング１０２ｂに連結される。これによって、各マガジン２０の伝達機構５６と設定機構９０とが駆動可能となる。また、排出口２８はプリント部１２の筐体に設けられる導入口４０ｃに対向し、マガジン２０の筐体２２とプリント部１２の筐体とが連通される。さらに、マガジン２０のロック爪３４がプリント部１２に設けられるロックピン４２に引っ掛かり、マガジン２０の位置決めピン１１０がプリント部１２の筐体に設けられる挿入孔１１２に挿入され、マガジン２０がプリント部１２に固定される。
【００４３】
供給ユニット１８あるいはプリント部１２からマガジン２０を取り外す際の固定解除は、凹部２６ａの２つのレバー３８（図４参照）を引き、２つのロック爪３４をそれぞれロックピン４２から外すことによって行われる。
【００４４】
このようなマガジン２０によれば、筐体２２内の印画紙Ｐあるいは導入口４０ａあるいは４０ｂから筐体２２内に導入される他のマガジン２０からの印画紙Ｐを、排出口２８を介して筐体２２内から排出し、プリント部１２あるいはその他のマガジン２０に供給できる。このようなマガジン２０を複数接続することによって構成される供給ユニット１８では、マガジン２０の数を任意に増やすことができ、供給可能な印画紙Ｐの種類数を任意に増やすことができる。また、複数のマガジン２０を直接接続することによって構成される供給ユニット１８では、ユニット本体を用いる必要がなく、小型で低コストに構成できる。
【００４５】
マガジン２０の筐体２２に導入口４０ａと４０ｂとが複数設けられ、１つのマガジン２０に２つのマガジン２０を接続できるので、供給ユニット１８をコンパクトに構成できる。
【００４６】
複数のマガジン２０は、凸部２４と凹部２６ａあるいは２６ｂとを嵌合させることによって接続されるので、簡単かつ強固に接続でき、供給ユニット１８の分解を防止できる。
【００４７】
図１に戻って、プリント部１２は、各マガジン２０の伝達機構５６ひいては搬送ローラ対５２および引き出しローラ対５４を回転させるためのモータ１１４と、各マガジン２０の設定機構９０を駆動させるためのモータ１１６と、供給ユニット１８から供給された印画紙Ｐに画像を露光するためのデジタル露光ヘッド１１８とを含む。デジタル露光ヘッド１１８は、たとえばレーザ露光方式に構成される。
【００４８】
デジタル露光ヘッド１１８から出射されるレーザ光は、印画紙Ｐに与えられ、矢印Ｂ方向（図２参照）に走査される。このようなプリント部１２では、印画紙Ｐを搬送し、デジタル露光ヘッド１１８によって印画紙Ｐに画像（潜像）を露光（焼き付け）形成する。
【００４９】
プロセッサ部１４は、種類の異なる処理液をそれぞれ収容する複数の処理槽を含み、露光済みの印画紙Ｐを搬送して複数の処理槽内を順に通過させる。これによって露光済みの印画紙Ｐに現像、定着および洗浄等の処理が施され、露光済みの印画紙Ｐに形成された潜像が現像される。その後、現像済みの印画紙Ｐは、プロセッサ部１４で乾燥処理され、プロセッサ部１４から仕上がりプリントとして排出される。
【００５０】
パーソナルコンピュータ等であるコントローラ１６は、図示しないＣＰＵバスで相互に接続されたＣＰＵ１６ａ、ＲＯＭ１６ｂ、ＲＡＭ１６ｃおよびハードディスクドライブ（ＨＤＤ：ハードディスクを含む）１６ｄを含む。
【００５１】
また、コントローラ１６には、モニタ等の表示部１２０、およびオペレータが種々の指示や設定を行うためのキーボードやマウス等の入力部１２２が接続される。表示部１２０には、プリント装置１０の操作を容易にするＧＵＩ（Graphical User Interface）や印画紙Ｐに形成すべき画像等が表示される。
【００５２】
ＣＰＵ１６ａは、ＲＯＭ１６ｂやＨＤＤ１６ｄに格納された各種のプログラムを実行し、データを処理し、プリント装置１０の各構成要素に指示を与え、プリント装置１０の動作を制御する。たとえば、ＣＰＵ１６ａは、入力部１２２からの指示に従ってモータ１１６を制御し、複数のカム１００をそれぞれ回転させることによって、特定のマガジン２０の伝達部６０を伝達状態にする。また、ＣＰＵ１６ａはセンサ１０９からの検出信号に基づいて、印画紙Ｐの送り出し（ローディング）の開始および巻き戻しの完了を検出する。
【００５３】
ＲＯＭ１６ｂは、起動用プログラム等を格納している。起動用プログラムをＣＰＵ１６ａが実行することによって、ＨＤＤ１６ｄに格納されているオペレーティングシステム（ＯＳ）やプリント装置１０を制御するためのプログラム等がＲＡＭ１６ｃにロードされ、各種の処理や制御が実行可能となる。
【００５４】
ＲＡＭ１６ｃには、プリント装置１０を制御するためのプログラム等が展開され、プログラムによる処理結果、処理のための一時データ、表示部１２０の画面上に情報を表示するための表示用データ（テキストデータ、画像データ等）等を保持し、ＣＰＵ１６ａの作業領域として使用される。ＲＡＭ１６ｃ上に展開された表示用データは、表示部１２０に伝達され、表示部１２０は、その画面上に表示用データに対応する表示内容（テキスト、画像等）を表示する。
【００５５】
ＨＤＤ１６ｄは、ＣＰＵ１６ａの指示に従って、プログラム、制御用データ、テキストデータ、画像データ等を、ハードディスクに対して書き込みまたは読み出す。
【００５６】
また、このようなコントローラ１６には、スキャナ１２４が接続される。スキャナ１２４は、写真用のフィルム等をスキャンすることによって、当該フィルムに形成された画像に対応する画像データをコントローラ１６に入力する。コントローラ１６は、スキャナ１１０から出力された画像データをプリント部１２のデジタル露光ヘッド１１８に入力し、当該画像データに基づく画像が印画紙Ｐに露光形成される。
【００５７】
このようなプリント装置１０によれば、複数のマガジン２０を接続した供給ユニット１８を用いることによって、ユニット本体を用いずとも複数種類のプリント材料を切り替えて使用でき、全体として小型で低コストに構成できる。
【００５８】
なお、上述の実施形態では、複数のマガジン２０によって構成される供給ユニット１８をプリント部１２に接続する場合について説明したが、プリント部１２に１つのマガジン２０を接続してもよい。
【００５９】
また、マガジン２０に導入口４０ａ，４０ｂを設ける場合について説明したが、この発明はこれに限定されず、マガジンに設ける導入口の数は任意に設定できる。
【００６０】
さらに、上述の実施形態では、写真プリント装置であるプリント装置１０にマガジン２０から印画紙Ｐを供給する場合について説明したが、この発明はこれに限定されない。たとえば、プリント装置がレーザープリント装置やインクジェットプリント装置である場合、マガジンにはこれらに対応した、普通紙、プラスチックフィルム、布等がプリント材料として収納される。
【図面の簡単な説明】
【００６１】
【図１】この発明のプリント装置を示す図解図である。
【図２】この発明のマガジンを示す正面図解図である。
【図３】この発明のマガジンを示す背面図解図である。
【図４】マガジンのＸ−Ｘ（図２および図３）断面図解図である。
【図５】シャッタを示す正面図解図である。
【図６】搬送ローラ対に動力を伝達するための伝達部を示す図解図である。
【図７】引き出しローラ対に動力を伝達するための伝達部を示す図解図である。
【図８】遮断状態の伝達部を示す図解図である。
【図９】接続途中である２つのマガジンの要部を示す図解図である。
【図１０】接続された２つのマガジンの要部を示す図解図である。
【図１１】接続されたマガジンとプリント部との要部を示す図解図である。
【符号の説明】
【００６２】
１０      プリント装置
１２      プリント部
２０      マガジン
２２      筐体
２４      凸部
２６ａ，２６ｂ      凹部
２８      排出口
４０ａ，４０ｂ，４０ｃ      導入口
Ｐ      印画紙
【図１】
2007178508.tif 000003
【図２】
2007178508.tif 000004
【図３】
2007178508.tif 000005
【図４】
2007178508.tif 000006
【図５】
2007178508.tif 000007
【図６】
2007178508.tif 000008
【図７】
2007178508.tif 000009
【図８】
2007178508.tif 000010
【図９】
2007178508.tif 000011
【図１０】
2007178508.tif 000012
【図１１】
2007178508.tif 000013